(57)【要約】【課題】  光源ランプの経年劣化や制御誤動作あるいは破損時等に関わらず、光源ランプの点灯／消灯状態に応じて照明等の関連装置をユーザの手を煩わしたり不都合を生じることなく的確に制御可能な投写型映像表示装置を提供する。【解決手段】  リモートコントローラに対応している関連装置のリモートコントロールコードを記憶しておく記憶手段（学習コードメモリ５）と、光源ランプの点灯／消灯状態を検出する検出手段（ランプバラスト４）と、前記記憶手段に記憶されたリモートコントロールコードを関連装置に送信する送信手段（リモコン送信部７）と、前記検出手段の検出結果に応じて前記記憶手段に記憶されたリモートコントロールコードを読み出して前記送信手段から送信させる制御手段（マイコン１）とを備えた。【選択図】        図１
2007178753.tif 000002
【特許請求の範囲】
【請求項１】
光源ランプからの光を映像信号に基づき変調して投写することにより映像を表示する投写型映像表示装置において、
リモートコントローラに対応している関連装置のリモートコントロールコードを記憶しておく記憶手段と、前記光源ランプの点灯／消灯状態を検出する検出手段と、前記記憶手段に記憶されたリモートコントロールコードを前記関連装置に送信する送信手段と、前記検出手段の検出結果に応じて前記記憶手段に記憶されたリモートコントロールコードを読み出して前記送信手段から送信させる制御手段とを備えたことを特徴とする投写型映像表示装置。
【請求項２】
前記関連装置は、少なくとも照明機器、電動スクリーン、ＡＶアンプ、メディアプレイヤのいずれかを含むことを特徴とする請求項１記載の投写型映像表示装置。
【請求項３】
前記制御手段は、前記検出手段によって前記光源ランプの点灯を検出した後、対応するリモートコントロールコードを前記記憶手段から読み出して前記送信手段から送信させることを特徴とする請求項１又は請求項２記載の投写型映像表示装置。
【請求項４】
前記制御手段は、前記検出手段によって前記光源ランプの消灯を検出した後、対応するリモートコントロールコードを前記記憶手段から読み出して前記送信手段から送信させることを特徴とする請求項１又は請求項２記載の投写型映像表示装置。
【請求項５】
前記制御手段は、前記検出手段によって前記光源ランプの点灯を検出した後、対応する第１のリモートコントロールコードを前記記憶手段から読み出して前記送信手段から送信させ、前記検出手段によって前記光源ランプの消灯を検出した後、対応する第２のリモートコントロールコードを前記記憶手段から読み出して前記送信手段から送信させることを特徴とする請求項１又は請求項２記載の投写型映像表示装置。
【請求項６】
前記検出手段として、前記光源ランプの電力を制御すると共に光源ランプの点灯／消灯状態を検出する機能を有するランプバラストを用いたことを特徴とする請求項１ないし請求項５のいずれかに記載の投写型映像表示装置。
【発明の詳細な説明】
【技術分野】
【０００１】
本願発明は、光源ランプからの光を映像信号に基づき変調して投写することにより映像を表示する液晶プロジェクタ等の投写型映像表示装置に関するものである。
【背景技術】
【０００２】
液晶プロジェクタ等の投写型映像表示装置は、暗所で鑑賞するため、鑑賞の前後でユーザが照明の消灯操作や点灯操作等を行う必要があり、煩わしいと感じることがある。液晶プロジェクタのリモートコントローラ（リモコン）側に学習機能を持たせて、液晶プロジェクタのリモコンで照明等を制御できるようにしたものもあるが、この場合にもユーザが自分で光源ランプの点灯や消灯を確認後、照明の消灯操作や点灯操作を行うことになり、煩わしいと感じる点は変わらない。
【０００３】
一方、特許文献１には、プロジェクタ装置の電源ＯＮ／ＯＦＦを検出すると、記憶してあるリモートコントロールコードを読み出して送信することにより、電動スクリーンや照明機器などを制御する技術が記載されている。
【特許文献１】特開２００５−４３６８３号公報（Ｇ０３Ｂ  ２１／１４）
【発明の開示】
【発明が解決しようとする課題】
【０００４】
ところで、液晶プロジェクタ等の投写型映像表示装置の光源ランプは、経年劣化により段々と点灯性が悪くなり、また光源ランプの制御誤動作が原因で、本体スイッチやリモコンから電源投入しても光源ランプが点灯しない事態が考えられる。
【０００５】
しかしながら、上記特許文献１記載の技術では、プロジェクタ装置の電源ＯＮ／ＯＦＦに連動して照明などの制御を行っているため、光源ランプの経年劣化や制御誤動作が原因で、光源ランプが点灯していないにも関わらず照明が消灯されることにより、ユーザが暗環境下におかれることになる。また、鑑賞中に光源ランプが万一破損した場合にも同様な不都合が発生する。
【０００６】
そこで、本願発明はこのような課題を解決するためになされたものであり、光源ランプの経年劣化や制御誤動作あるいは破損時に関わらず、光源ランプの点灯／消灯状態に応じて照明等の関連装置をユーザの手を煩わしたり不都合を生じることなく的確に制御可能な投写型映像表示装置を提供することを目的とするものである。
【課題を解決するための手段】
【０００７】
上記のような目的を達成するために、本願の請求項１に記載の発明は、光源ランプからの光を映像信号に基づき変調して投写することにより映像を表示する投写型映像表示装置において、リモートコントローラに対応している関連装置のリモートコントロールコードを記憶しておく記憶手段と、前記光源ランプの点灯／消灯状態を検出する検出手段と、前記記憶手段に記憶されたリモートコントロールコードを前記関連装置に送信する送信手段と、前記検出手段の検出結果に応じて前記記憶手段に記憶されたリモートコントロールコードを読み出して前記送信手段から送信させる制御手段とを備えたことを特徴とするものである。
【０００８】
また、請求項２に記載の発明は、請求項１記載の発明において、前記関連装置は、少なくとも照明機器、電動スクリーン、ＡＶアンプ、メディアプレイヤのいずれかを含むことを特徴とするものである。
【０００９】
そして、請求項３に記載の発明は、請求項１又は請求項２記載の発明において、前記制御手段は、前記検出手段によって前記光源ランプの点灯を検出した後、対応するリモートコントロールコードを前記記憶手段から読み出して前記送信手段から送信させることを特徴とするものである。
【００１０】
また、請求項４に記載の発明は、請求項１又は請求項２記載の発明において、前記制御手段は、前記検出手段によって前記光源ランプの消灯を検出した後、対応するリモートコントロールコードを前記記憶手段から読み出して前記送信手段から送信させることを特徴とするものである。
【００１１】
さらに、請求項５に記載の発明は、請求項１又は請求項２記載の発明において、前記制御手段は、前記検出手段によって前記光源ランプの点灯を検出した後、対応する第１のリモートコントロールコードを前記記憶手段から読み出して前記送信手段から送信させ、前記検出手段によって前記光源ランプの消灯を検出した後、対応する第２のリモートコントロールコードを前記記憶手段から読み出して前記送信手段から送信させることを特徴とするものである。
【００１２】
また、請求項６に記載の発明は、請求項１ないし請求項５のいずれかに記載の発明において、前記検出手段として、前記光源ランプの電力を制御すると共に光源ランプの点灯／消灯状態を検出する機能を有するランプバラストを用いたことを特徴とするものである。
【発明の効果】
【００１３】
本願の請求項１記載の発明によれば、光源ランプの実際の点灯／消灯状態を検出して関連装置を制御することにより、光源ランプの経年劣化や制御誤動作あるいは破損時に関わらず、光源ランプの点灯／消灯状態に応じて照明等の関連装置をユーザの手を煩わしたり不都合を生じることなく的確に制御することが可能になる。
【００１４】
また、請求項２記載の発明によれば、前記関連装置としては、少なくとも照明機器、電動スクリーン、ＡＶアンプ、メディアプレイヤのいずれかに適用して有効である。
【００１５】
そして、請求項３記載の発明によれば、光源ランプの点灯を検出した後、対応するリモートコントロールコードを記憶手段から読み出して送信手段から送信させることにより、鑑賞前にユーザの手を煩わせることがなくなると共に、例えば照明機器の場合、光源ランプの点灯後に照明が消灯することで、光源ランプの経年劣化や制御誤動作等で点灯しない場合にもユーザが暗環境下におかれるのを防ぐことができる。
【００１６】
また、請求項４記載の発明によれば、光源ランプの消灯を検出した後、対応するリモートコントロールコードを記憶手段から読み出して送信手段から送信させることにより、鑑賞後にユーザの手を煩わせることがなくなると共に、例えば照明機器の場合、光源ランプの消灯後には照明が点灯することで、鑑賞中に光源ランプが万一破損して消灯した場合にもユーザが暗環境下におかれるのを防ぐことができる。
【００１７】
さらに、請求項５記載の発明によれば、光源ランプの点灯を検出した後、対応する第１のリモートコントロールコードを記憶手段から読み出して送信手段から送信させ、光源ランプの消灯を検出した後、対応する第２のリモートコントロールコードを記憶手段から読み出して送信手段から送信させることにより、鑑賞の前後のいずれにおいてもユーザの手を煩わせることがなくなると共に、例えば照明機器の場合、光源ランプの点灯後に照明が消灯し、光源ランプの消灯後には照明が点灯することで、光源ランプの経年劣化や制御誤動作等で点灯しない場合と、鑑賞中に光源ランプが万一破損して消灯した場合のいずれの場合にも、ユーザが暗環境下におかれるのを防ぐことができる。
【００１８】
また、請求項６記載の発明によれば、前記検出手段として、光源ランプの電力を制御すると共に光源ランプの点灯／消灯状態を検出する機能を有するランプバラストを用いることにより、この種の機能を有するランプバラストを有効利用して低コスト化を図ることができる。
【発明を実施するための最良の形態】
【００１９】
以下、投写型映像表示装置として液晶プロジェクタを例にとって、本願発明の一実施形態を図面を参照して詳細に説明する。
【００２０】
図１は、本願発明の一実施形態に係る液晶プロジェクタの構成を示すブロック図であり、ここでは、本願発明の実施形態に係る構成のみを示している。
【００２１】
本願発明の制御手段を構成するマイコン（マイクロコンピュータ）１には、リモコン受信部２、電源スイッチ３、ランプバラスト４、学習コードメモリ５、電源６、リモコン送信部７等が接続されている。
【００２２】
リモコン受信部２は、当該液晶プロジェクタのリモコンや他の関連装置のリモコン（いずれも図示せず）からの信号を受信してマイコン１に出力するものである。
【００２３】
電源スイッチ３は、当該液晶プロジェクタの全体（図示しない各部を含む）に電力を供給する電源６をマイコン１を介してＯＮ／ＯＦＦ操作するためのものである。なお、マイコン１、リモコン受信部２、学習コードメモリ５、リモコン送信部７等は上記電源スイッチ３によらない待機電力で動作することができるようになっている。
【００２４】
ランプバラスト４は、マイコン１からの制御によって図示しない光源ランプに供給する電力を制御するものである。この種のランプバラストには、一般に、光源ランプの通電電流等を検出することにより光源ランプの点灯状態を常時検出して監視する機能が備えられており、その検出結果はマイコン１に出力されるようになっている。従って、本実施形態では、このランプバラスト４の監視機能を本願発明の検出手段として有効利用することにより、低コスト化を図っている。
【００２５】
学習コードメモリ５は、マイコン１により、照明等の関連装置のリモートコントロールコードの書き込みと読み出しが行われるもので、本願発明の記憶手段に相当するものである。この学習コードメモリ５としては、電気的に書き換え可能な不揮発性メモリやバッテリバックアップされたメモリが使用されており、電源断時にも記憶内容が消えないようになっている。
【００２６】
リモコン送信部７は、マイコン１から出力されるリモートコントロールコードを照明等の関連装置に送信するものである。
【００２７】
次に、このように構成された本実施形態の動作について図２に示すフローチャートを参照して説明する。なお、ここでは最も有効な照明の制御について説明する。
【００２８】
先ず予め、照明機器のリモコンから、照明を点灯するための第１のリモートコントロールコードと照明を消灯するための第２のリモートコントロールコードを当該液晶プロジェクタのリモコン受信部２に向けて送信して、これらのリモートコントロールコードをマイコン１により、後述するそれぞれの送信時期に読み出し可能に学習コードメモリ５に書き込んでおく。
【００２９】
図２のフローチャートで示す制御では、先ずマイコン１はリモコン受信部２又は電源スイッチ３から電源ＯＮコードが送られてくるのを待って（ステップＳ１のＮループ）、電源ＯＮコードを受けると、当該液晶プロジェクタの電源６をＯＮすると共に、ランプバラスト４を介して光源ランプをＯＮする（ステップＳ１のＹ→ステップＳ２）。
【００３０】
次に、ランプバラスト４からのランプ点灯検出結果に基づき、光源ランプが点灯したか否かをチェックする（ステップＳ３）。光源ランプの点灯を確認すると、学習コードメモリ５に予め記憶してある第１のリモートコントロールコードを読み出して、読み出した第１のリモートコントロールコードをリモコン送信部７から送信する（ステップＳ３のＹ→ステップＳ４）。これにより、照明が消灯する。なお、上記ステップＳ３で、光源ランプの点灯を規定時間内に確認できないときは、照明を消灯することなく、図示しない操作表示部等を用いて光源ランプの異常報知を行って終了する（ステップＳ３のＮ→ステップＳ５）。
【００３１】
このように、光源ランプの点灯後に照明が自動的に消灯することで、鑑賞前にユーザの手を煩わせることがなくなると共に、光源ランプの経年劣化や制御誤動作等で点灯しない場合にもユーザが暗環境下におかれるのを防ぐことができる。また、光源ランプが点灯しないときは光源ランプの異常報知を行うことにより、ユーザは光源ランプの異常を速やかに認識して対処することができる。
【００３２】
光源ランプの点灯後も、マイコン１は、ランプバラスト４からのランプ点灯検出出力に基づき光源ランプの点灯状態をチェックする（ステップＳ６）。点灯状態の時は、リモコン受信部２又は電源スイッチ３から電源ＯＦＦコードが送られてくるのを待って（ステップＳ６のＹ→ステップＳ７のＮ→ステップＳ６のループ）、電源ＯＦＦコードを受けると、当該液晶プロジェクタの電源６をＯＦＦすると共に、ランプバラスト４を介して光源ランプをＯＦＦする（ステップＳ７のＹ→ステップＳ８）。
【００３３】
そして、ランプバラスト４からのランプ点灯検出出力に基づき、光源ランプが消灯したか否かをチェックする（ステップＳ９）。光源ランプの消灯を確認すると、学習コードメモリ５に予め記憶してある第２のリモートコントロールコードを読み出して、読み出した第２のリモートコントロールコードをリモコン送信部７から送信する（ステップＳ９のＹステップＳ１０）。これにより、照明が点灯する。
【００３４】
このように、鑑賞後に光源ランプが消灯すると自動的に照明が点灯するので、鑑賞後にユーザの手を煩わせることなくユーザが暗環境下におかれるのを防ぐことができる。
【００３５】
一方、鑑賞中（ステップＳ６のＹ→ステップＳ７のＮ→ステップＳ６のループ）に光源ランプが万一破損して消灯した場合には、ランプバラスト４からのランプ点灯検出結果に基づき光源ランプの消灯を確認すると、図示しない操作表示部等を用いて光源ランプの異常報知を行うと共に、学習コードメモリ５に予め記憶してある第２のリモートコントロールコードを読み出して、読み出した第２のリモートコントロールコードをリモコン送信部７から送信する（ステップＳ６のＮ→ステップＳ１１→ステップＳ１０）。これにより、照明が点灯する。
【００３６】
このように、鑑賞中に光源ランプが万一破損して消灯した場合にも自動的に照明が点灯するので、ユーザの手を煩わせることなくユーザが暗環境下におかれるのを防ぐことができる。また、この場合にも光源ランプの異常報知を行うことにより、ユーザは光源ランプの異常を速やかに認識して対処することができる。
【００３７】
なお、上記実施形態では、照明の点灯及び消灯を制御したが、照明の点灯と消灯のいずれか一方のみでも有効である。
【００３８】
また、上記実施形態では、照明制御のみについて述べたが、照明制御のみに限らず、必要に応じて、５．１チャンネルサラウンドシステム等のＡＶ(Audio Visual)アンプの制御、DVD(Digital Versatile Disc)プレイヤ等のメディアプレイヤの制御、電動スクリーンの昇降などの制御のためのリモートコントロールコードを学習コードメモリ５に記憶しておくことにより、これらの制御にも容易に適用することができる。
【００３９】
また、上記実施形態では、光源ランプの点灯／消灯状態の検出手段としてランプバラスト４の監視機能を有効利用して低コスト化を図ったが、フォトダイオード等の光センサを別途設けるようにしても良い。
【００４０】
また、上記実施形態では、関連装置のリモートコントロールコードを液晶プロジェクタのリモコン受信部２を介して学習モードメモリ５に書き込むようにしたが、関連装置のリモートコントロールコードが予め分かっている場合にはパーソナルコンピュータ等を用いて書き込むことも考えられる。
【００４１】
また、上記実施形態では、液晶パネルを用いた液晶プロジェクタを示したが、他の映像光生成系を備える投写型映像表示装置においても本願発明を適用できる。前面投写型の他、背面投写型映像表示装置においても本願発明を適用することができる。また、ＤＬＰ（Digital Light Processing；テキサス・インスツルメンツ（TI）社の登録商標）方式のプロジェクタにおいても本願発明を適用することができる。
【図面の簡単な説明】
【００４２】
【図１】本願発明の一実施形態に係る構成を示すブロック図。
【図２】その制御を示すフローチャート。
【符号の説明】
【００４３】
１  マイコン
２  リモコン受信部
３  電源スイッチ
４  ランプバラスト
５  学習コードメモリ
６  電源
７  リモコン送信部
【図１】
2007178753.tif 000003
【図２】
2007178753.tif 000004